(57)【要約】【課題】空調システムの通信品質を容易且つ適切に計測する。【解決手段】データ送受信部３４３は、他の空調機からの制御コマンドを受信する。波形特徴量検出部３４０は、受信した制御コマンドにおける通信信号の波形特徴量を検出し、検出した波形特徴量と、当該他の空調機の識別情報を対応付けた波形特徴量データを波形特徴量テーブル３２１に保存する。データ通知部３４１は、予め定めたタイミングで集中監視装置に対して通信品質を通知するための通信品質データを計測結果テーブル３２１に基づいて生成し、データ送受信部３４３に送信を指示する。【選択図】図４
2018182424.tif 000002
【特許請求の範囲】
【請求項１】
他の空調機からの制御コマンドを受信するコマンド受信手段と、
前記受信した制御コマンドにおける通信信号の波形特徴量を検出し、検出した波形特徴量と、当該他の空調機の識別情報を対応付けた波形特徴量データをデータテーブルに保存する波形特徴量検出手段と、
前記データテーブルに保存された波形特徴量データを予め定めたタイミングで集中監視装置に送信する波形特徴量送信手段と、を備える、空調機。
【請求項２】
前記波形特徴量検出手段は、前記波形特徴量として、波高値又はパルス幅を検出する、請求項１に記載の空調機。
【請求項３】
他の空調機からの波形特徴量データを受信する波形特徴量受信手段と、
前記集中監視装置と直接に通信可能な他の空調機を探索する中継先探索手段と、をさらに備え、
前記波形特徴量送信手段は、
前記集中監視装置と直接に通信することができない場合、前記中継先探索手段が探索した他の空調機に、前記データテーブルに保存された波形特徴量データを送信し、
前記波形特徴量受信手段により他の空調機からの波形特徴量データが受信された場合、当該波形特徴量データを前記集中監視装置に転送する、請求項１又は２に記載の空調機。
【請求項４】
集中監視装置と、請求項１から３の何れか１項に記載の複数の空調機と、を備え、
前記集中監視装置は、
前記複数の空調機の各々から送られてきた波形特徴量データに基づいて、空調機間の通信品質の診断を行う通信品質診断手段と、
前記通信品質診断手段の診断結果をディスプレイに出力する診断結果出力手段と、を備える、空調システム。
【請求項５】
前記通信品質診断手段は、前記波形特徴量データに含まれる前記波形特徴量が、予め定めた閾値よりも小さい場合、当該空調機間の通信品質は良好でないと判断する、請求項４に記載の空調システム。
【請求項６】
他の空調機からの制御コマンドを受信し、
前記受信した制御コマンドにおける通信信号の波形特徴量を検出し、検出した波形特徴量と、当該他の空調機の識別情報を対応付けた波形特徴量データをデータテーブルに保存し、
前記データテーブルに保存された波形特徴量データを予め定めたタイミングで集中監視装置に送信する、通信品質計測方法。
【発明の詳細な説明】
【技術分野】
【０００１】
本発明は、空調システムの通信品質を計測する技術に関する。
【背景技術】
【０００２】
例えば、複数の空調機が接続する空調システムを新たに施工した場合に、伝送異常の有無を発見しやすくすることを目的とした技術が提案されている（例えば、特許文献１）。
【０００３】
特許文献１には、複数の室内ユニットの室内空調容量の総和と複数の室外ユニットの室外空調容量の総和との比率が所定の関係となるように構成された空調システムにおいて、室内空調容量に関する情報及び室外空調容量に関する情報を取得し、取得したこれらの情報に基づいて算出した室内空調容量の総和と室外空調容量の総和とを比較することで伝送異常の有無を判断することが開示されている。
【先行技術文献】
【特許文献】
【０００４】
【特許文献１】特開２０１２−１２７５５２号公報
【発明の概要】
【発明が解決しようとする課題】
【０００５】
しかしながら、上記の特許文献１の開示技術では、伝送異常（即ち、通信異常）の発生は検出できるものの、通信が良好でない状態を含む通信品質、即ち、今後、通信異常が予期される状態を含む通信品質を検出することができない。
【０００６】
本発明は、上記の課題を解決するためになされたものであり、複数の空調機が接続された空調システムにおける通信品質を容易且つ適切に計測することのできる空調機等を提供することを目的とする。
【課題を解決するための手段】
【０００７】
上記目的を達成するため、本発明に係る空調機は、
他の空調機からの制御コマンドを受信するコマンド受信手段と、
前記受信した制御コマンドにおける通信信号の波形特徴量を検出し、検出した波形特徴量と、当該他の空調機の識別情報を対応付けた波形特徴量データをデータテーブルに保存する波形特徴量検出手段と、
前記データテーブルに保存された波形特徴量データを予め定めたタイミングで集中監視装置に送信する波形特徴量送信手段と、を備える。
【発明の効果】
【０００８】
本発明によれば、他の空調機から受信した制御コマンドにおける通信信号の波形特徴量を検出し、検出した波形特徴量と、当該他の空調機の識別情報を対応付けた波形特徴量データを集中監視装置に送信する。このため、空調システムにおける通信品質を容易且つ適切に計測することが可能となる。
【図面の簡単な説明】
【０００９】
【図１】本発明の実施形態に係る空調システムの全体構成を示す図
【図２】本実施形態に係る空調機の構成を示すブロック図
【図３】本実施形態の空調機が備える二次記憶装置について説明するための図
【図４】本実施形態の空調機が備える制御部の機能構成を示すブロック図
【図５】本実施形態において制御コマンドの波形例を示す図
【図６】本実施形態において波形特徴量としてパルス幅を検出する場合について説明するための図
【図７】本実施形態の空調機が実行する通信品質計測処理の手順を示すフローチャート
【図８】本実施形態に係る集中監視装置の構成を示すブロック図
【図９】本実施形態において通信品質の診断結果の表示例（その１）を示す図
【図１０】本実施形態において通信品質の診断結果の表示例（その２）を示す図
【発明を実施するための形態】
【００１０】
以下、本発明の実施形態について図面を参照して詳細に説明する。
【００１１】
図１は、本発明の実施形態に係る空調システム１の構成を示す図である。空調システム１は、例えば、オフィスビル等の建物の空調を集中管理して行えるようにしたシステムであり、図１に示すように、集中監視装置２と、複数の空調機３を備える。
【００１２】
集中監視装置２と、複数の空調機３の各々とは、通信線４を介して通信可能となるように接続されている。
【００１３】
複数の空調機３の各々は、室外機、室内機又はリモコンの何れかであり、図２に示すように、通信インタフェース３０と、メインユニット３１と、二次記憶装置３２と、波形取得部３３と、制御部３４とを備える。
【００１４】
通信インタフェース３０は、集中監視装置２及び他の空調機３と通信線４を介して通信するためのインタフェースを備える。メインユニット３１は、当該空調機３の本来的な機能を実現するための構成部である。当該空調機３が室外機の場合、メインユニット３１には、コンプレッサ、凝縮器、膨張弁、蒸発器等が含まれる。また、当該空調機３が室内機の場合では、メインユニット３１には、ファン、熱交換器、温度センサ等が含まれる。また、当該空調機３がリモコンの場合、メインユニット３１には、ユーザインタフェース装置、より詳細には、押しボタン、タッチパネル、タッチパッド等の入力装置と、有機ＥＬディスプレイ、液晶ディスプレイ等のディスプレイが含まれる。
【００１５】
二次記憶装置３２は、例えば、ＥＥＰＲＯＭ（Electrically Erasable Programmable Read-Only Memory）、フラッシュメモリ等の読み書き可能な不揮発性の半導体メモリで構成される。二次記憶装置３２は、図３に示すように、通信品質計測プログラム３２０と、波形特徴量テーブル３２１を記憶する。なお、この他にも、二次記憶装置３２は、メインユニット３１の動作に関する各種のプログラムと、これらのプログラムの実行時に使用されるデータを記憶する。
【００１６】
通信品質計測プログラム３２０は、制御部３４によって実行されるコンピュータプログラムである。通信品質計測プログラム３２０には、他の空調機３との通信における品質（即ち、通信品質）を計測し、計測した通信品質を集中監視装置２に送信するための処理が記述されている。
【００１７】
波形特徴量テーブル３２１は、他の空調機３から受信した通信データの波形特徴量を、相手先の空調機３を識別する情報と対応付けて保存するためのデータテーブルである。
【００１８】
図２に戻り、波形取得部３３は、他の空調機３から通信インタフェース３０を介して受信した、空調制御に関する通信データ、即ち、制御コマンドの波形データを取得する。波形取得部３３は、例えば、デジタルオシロスコープから構成され、取得した波形データを制御部３４に出力する。
【００１９】
制御部３４は、ＣＰＵ（Central Processing Unit）、ＲＯＭ（Read Only Memory）、ＲＡＭ（Random Access Memory）等（何れも図示せず）を含んで構成され、当該空調機３を統括制御する。制御部３４は、機能的には、図４に示すように、波形特徴量検出部３４０と、データ通知部３４１と、中継先探索部３４２と、データ送受信部３４３と、空調制御部３４４とを備える。これらの機能部は、ＣＰＵが二次記憶装置３２に記憶されている通信品質計測プログラム３２０を実行することで実現される。
【００２０】
波形特徴量検出部３４０は、本発明に係る空調機が備える波形特徴量検出手段の一例である。波形特徴量検出部３４０は、波形取得部３３により取得された波形データから波形特徴量を検出する。詳細には、波形特徴量検出部３４０は、上記の波形データから、振幅の最大値、即ち、波高値を検出する（図５参照）。空調システム１において、各空調機３は、空調制御に関する制御コマンドをシリアル通信する。例えば、空調機３間において、図５の（ａ）〜（ｃ）のような方式により制御コマンドを符号化した通信信号が伝送される。
【００２１】
なお、波形特徴量はパルス幅であってもよい。通信インタフェース３０等の通常の通信インタフェースは、制御コマンドを受信すると、受信信号の先頭ビットの開始をエッジ検出し、エッジ検出時点からビット毎に予め定めたタイミングで受信信号のレベルを判定することにより、ビット判定を行う。これに対し、波形特徴量検出部３４０は、図６に示すように、本来パルスがある期間を予め定めた回数（例えば、８回）、受信信号のレベルを判定し、レベル検出の割合をパルス幅として算出する。図６は、ＲＺ方式の例を示し、（ａ）は、パルス幅が８／８であり正常な場合、（ｂ）は、パルス幅が４／８であり、波形なまりが生じている場合、（ｃ）は、パルス幅が６／８であり、ノイズが生じている場合を示す。
【００２２】
波形特徴量検出部３４０は、上記のようにして検出した波形特徴量と、当該通信相手の空調機３を識別する情報（以下、機器ＩＤ（identification）と称する。）を対応付けた波形特徴量データを波形特徴量テーブル３２１に保存する。
【００２３】
データ通知部３４１は、本発明に係る空調機が備える波形特徴量送信手段の一例である。データ通知部３４１は、予め定めたタイミングで、自機（当該空調機３）と他の空調機３との通信品質を集中監視装置２に通知する。詳細には、データ通知部３４１は、定期的（例えば、一定時間毎、あるいは、予め定めた時刻毎）に、検出した波形特徴量を集中監視装置２に通知するための通信品質データを生成し、データ送受信部３４３に送信を指示する。通信品質データには、送信先ＩＤと、通信品質の通知であることを示す情報と、波形特徴量テーブル３２１に格納されている波形特徴量データとが含まれる。データ通知部３４１は、集中監視装置２と直接通信できるか否かを判別し、直接通信できる場合は、送信先ＩＤとして、集中監視装置２の機器ＩＤを設定する。
【００２４】
一方、配線ミス等によって、集中監視装置２と直接通信できない場合、データ通知部３４１は、中継先探索部３４２に、通信品質データの中継先となる空調機３の探索を指示する。なお、直接通信できるか否かは、例えば、最初に集中監視装置２宛てに通信品質データを送信した際、一定時間以内に集中監視装置２から受信応答が返ってきたか否かで判別される。あるいは、各空調機３は、集中監視装置２との通信チェックを定期的に行うようにし、データ通知部３４１は、最新の通信チェックの結果に基づいて集中監視装置２と直接通信できるか否かを判別してもよい。
【００２５】
中継先探索部３４２は、本発明に係る空調機が備える中継先探索手段の一例である。中継先探索部３４２は、自機と通信可能な他の空調機３であって、集中監視装置２と直接通信できる空調機３を探索する。例えば、中継先探索部３４２は、自機が通信可能な１又は複数の他の空調機３に対して、集中監視装置２と直接通信が可能か否かの問合せを順次行う。そして、かかる問合せに対して直接通信が可能である旨の応答が返ってきた場合、中継先探索部３４２は、当該応答元の他の空調機３の機器ＩＤを中継先の探索結果としてデータ通知部３４１に応答する。
【００２６】
集中監視装置２と直接通信できる他の空調機３を探索できなかった場合、中継先探索部３４２は、該当する空調機３が無い旨をデータ通知部３４１に応答する。
【００２７】
データ通知部３４１は、中継先探索部３４２から、機器ＩＤが応答されると、当該機器ＩＤを通信品質データにおける送信先ＩＤとして設定して、データ送受信部３４３に送信を指示する。一方、中継先探索部３４２から、該当する空調機３が無い旨の応答があると、データ通知部３４１は、当該空調機３が備えるＬＥＤを予め定めた態様で発光させたり、当該空調機３が備えるスピーカから電子音を出力する等のエラー報知を行う。その際、当該空調機３がリモコンの場合では、エラーが発生した旨のメッセージをディスプレイに表示してもよい。
【００２８】
また、データ通知部３４１は、データ送受信部３４３により他の空調機３からの通信品質データが受信されると、当該通信品質データを集中監視装置２に転送する。詳細には、データ通知部３４１は、当該通信品質データの送信先ＩＤを集中監視装置２の機器ＩＤに更新し、データ送受信部３４３に送信を指示する。
【００２９】
また、データ通知部３４１は、データ送受信部３４３により他の空調機３からの上記の問合せ（以下、問合せデータと称する。）が受信されると、自機が集中監視装置２と直接通信できるか否かを示す応答をデータ送受信部３４３を介して問合せ元の空調機３に送信する。
【００３０】
データ送受信部３４３は、本発明に係る空調機が備えるコマンド受信手段と、波形特徴量受信手段の一例である。データ送受信部３４３は、他の空調機３から、通信インタフェースを介して制御コマンド又は通信品質データを受信する。データ送受信部３４３は、受信した制御コマンドを空調制御部３４４に供給する。また、上述したように、データ送受信部３４３は、受信した通信品質データをデータ通知部３４１に供給する。
【００３１】
さらに、データ送受信部３４３は、空調制御部３４４が生成した制御コマンドを通信インタフェース３０を介して他の空調機３に送信する。また、上述したように、データ送受信部３４３は、データ通知部３４１が生成した通信品質データを通信インタフェース３０を介して集中監視装置２又は他の空調機３に送信する。さらには、データ送受信部３４３は、データ通知部３４１が送信先ＩＤを更新した通信品質データを通信インタフェース３０を介して集中監視装置２に送信する。
【００３２】
空調制御部３４４は、データ送受信部３４３から制御コマンドの供給を受けると、メインユニット３１に対して、当該制御コマンドの内容に従った動作指示を行う。また、メインユニット３１からの動作指示（例えば、ユーザの操作に従った動作指示）に従った制御コマンドを生成し、当該動作指示の対象となる他の空調機３に送信するようにデータ送受信部３４３に指示する。
【００３３】
図７は、各空調機３で実行される通信品質計測処理の手順を示すフローチャートである。データ送受信部３４３が、通信インタフェース３０を介して他の空調機３からの制御コマンドを受信していない場合（ステップＳ１０１；ＮＯ）、ステップＳ１０６に移行する。一方、データ送受信部３４３が、他の空調機３からの制御コマンドを受信すると（ステップＳ１０１；ＹＥＳ）、波形取得部３３は、当該制御コマンドの波形データを取得する（ステップＳ１０２）。波形特徴量検出部３４０は、取得された波形データから波形特徴量を検出し（ステップＳ１０３）、検出した波形特徴量と、送信元の空調機３の機器ＩＤを対応付けた波形特徴量データを波形特徴量テーブル３２１に保存する（ステップＳ１０４）。
【００３４】
ステップＳ１０４の後、空調制御部３４４は、当該制御コマンドに従った動作をメインユニット３１に指示する（ステップＳ１０５）。その後、ステップＳ１０１に戻る。
【００３５】
データ送受信部３４３が、通信インタフェース３０を介して他の空調機３からの通信品質データを受信していない場合（ステップＳ１０６；ＮＯ）、ステップＳ１０８に移行する。一方、データ送受信部３４３が、他の空調機３からの通信品質データを受信すると（ステップＳ１０６；ＹＥＳ）、データ通知部３４１は、データ送受信部３４３を介して当該通信品質データを集中監視装置２に転送する（ステップＳ１０７）。その後、ステップＳ１０１に戻る。
【００３６】
データ送受信部３４３が、通信インタフェース３０を介して他の空調機３からの問合せデータを受信していない場合（ステップＳ１０８；ＮＯ）、ステップＳ１１０に移行する。一方、データ送受信部３４３が、他の空調機３からの問合せデータを受信すると（ステップＳ１０８；ＹＥＳ）、データ通知部３４１は、自機が集中監視装置２と直接通信できるか否かを示す応答を問合せ元の空調機３に返す（ステップＳ１０９）。その後、ステップＳ１０１に戻る。
【００３７】
ステップＳ１１０では、データ通知部３４１は、通信品質データの通知タイミングであるか否かを判別する。例えば、データ通知部３４１は、前回、自機が生成した通信品質データを送信してから予め定めた時間経過した場合、通信品質データの通知タイミングであると判別してもよいし、現時刻が予め定めた時刻となった場合に、通信品質データの通知タイミングであると判別してもよい。
【００３８】
通信品質データの通知タイミングでない場合（ステップＳ１１０；ＮＯ）、ステップＳ１０１に戻る。一方、通信品質データの通知タイミングである場合（ステップＳ１１０；ＹＥＳ）、データ通知部３４１は、前述したようにして通信品質データを生成し、データ送受信部３４３を介して集中監視装置２又は他の空調機に送信する（ステップＳ１１１）。その後、ステップＳ１０１に戻る。
【００３９】
続いて集中監視装置２について説明する。集中監視装置２は、当該建物内の管理室等、関係者以外が立ち入ることのできない場所に設置される。集中監視装置２は、図８に示すように、ディスプレイ２０と、入力装置２１と、通信インタフェース２２と、二次記憶装置２３と、制御部２４とを備える。
【００４０】
ディスプレイ２０は、例えば、ＣＲＴディスプレイ、液晶ディスプレイ、有機ＥＬディスプレイ又はプラズマディスプレイ等で構成される。ディスプレイ２０は、制御部２４の制御の下、空調システム１の通信品質に関する情報を表示する。
【００４１】
入力装置２１は、例えば、キーボード、マウス、キーパッド、タッチパッド又はタッチパネル等を含んで構成される。入力装置２１は、管理者等による操作を受け付け、受け付けた操作に係る信号を制御部２４に送出する。なお、入力装置２１がタッチパネルである場合には、ディスプレイ２０上に設置される。
【００４２】
通信インタフェース２２は、複数の空調機３の各々と通信線４を介して通信するためのインタフェースである。
【００４３】
二次記憶装置２３は、ＥＥＰＲＯＭ（Electrically Erasable Programmable Read-Only Memory）若しくはフラッシュメモリ等の読み書き可能な不揮発性の半導体メモリ又はＨＤＤ（Hard Disk Drive）等を含んで構成される。二次記憶装置２３は、通信品質診断プログラム２３０と、収集データテーブル２３１を記憶する。
【００４４】
通信品質診断プログラム２３０は、制御部２４によって実行されるコンピュータプログラムである。通信品質診断プログラム２３０には、空調システム１の通信品質を診断するための処理が記述されている。収集データテーブル２３１は、各空調機３から収集した通信品質データを保存するためのデータテーブルである。
【００４５】
制御部２４は、ＣＰＵ、ＲＯＭ、ＲＡＭ等（何れも図示せず）を含んで構成され、当該集中監視装置２を統括制御する。制御部２４は、機能的には、通信品質データ収集部２４０と、通信品質診断部２４１と、診断結果出力部２４２とを備える。これらの機能部は、ＣＰＵが二次記憶装置２３に記憶されている通信品質診断プログラム２３０を実行することで実現される。
【００４６】
通信品質データ収集部２４０は、前述したようにして各空調機３から送られてくる通信品質データを受信して、収集データテーブル２３１に保存する。
【００４７】
通信品質診断部２４１は、本発明に係る集中監視装置が備える通信品質診断手段の一例である。通信品質診断部２４１は、収集データテーブル２３１に保存されている各空調機３からの通信品質データに基づいて、空調システム１における通信品質の診断を行う。詳細には、通信品質診断部２４１は、各空調機３からの通信品質データに含まれる１又は複数の波形特徴量データのそれぞれから波形特徴量を順次ピックアップし、予め定めた閾値と比較する。例えば、波形特徴量が波高値の場合、当該閾値は、通信品質が良好であるとみなされる波高値の下限を示す。当該波高値の下限は、任意の設計事項である。ピックアップした波高値が、当該閾値よりも小さい場合、通信品質診断部２４１は、当該空調機３間（即ち、当該空調機３のペア）の通信品質は良好でないと判断する。
【００４８】
あるいは、波形特徴量がパルス幅の場合、当該閾値は、通信品質が良好であるとみなされるパルス幅（即ち、レベル検出の割合）の下限を示す。当該パルス幅の下限は、任意の設計事項である。ピックアップしたパルス幅が、当該閾値よりも小さい場合、通信品質診断部２４１は、当該空調機３間（即ち、当該空調機３のペア）の通信品質は良好でないと判断する。
【００４９】
さらに、通信品質が良好でないと判断した空調機３のペアが複数あり、異なるペアで重複する空調機３がある場合、通信品質診断部２４１は、当該空調機３を、通信品質が良好でない要因として特定する。
【００５０】
診断結果出力部２４２は、本発明に係る集中監視装置が備える診断結果出力手段の一例である。診断結果出力部２４２は、通信品質診断部２４１の診断結果をディスプレイ２０に出力して表示させる（図９、図１０参照）。また、診断結果出力部２４２は、通信インタフェース２２又は通信インタフェース２２とは異なる図示しないインタフェースを介して接続する他の装置に、通信品質診断部２４１の診断結果を送信してもよい。
【００５１】
以上説明したように、本発明の実施形態に係る空調システム１では、各空調機３は、他の空調機３から制御コマンドを受信すると波形特徴量を検出し、検出した波形特徴量と、当該通信相手の空調機３の機器ＩＤとを対応付けた計測データを波形特徴量テーブル３２１に保存する。そして、各空調機３は、予め定めたタイミングで（例えば、定期的に）、波形特徴量テーブル３２１に保存されている内容が格納された通信品質データを集中監視装置２に対して送信する。このため、集中監視装置２は、空調機３間の通信品質に係るデータを容易に収集することができる。
【００５２】
また、集中監視装置２は、各空調機３による通信品質データ、即ち、各空調機３で検出された１又は複数の波形特徴量に基づいて通信品質の診断を行う。これにより、通信異常のみならず、通信はできるものの良好でない状態も検出できるため、ユーザは事前に注意すべき空調機３を把握でき、適切な予備対策を講じることが可能となる。
【００５３】
また、集中監視装置２と、他の空調機３を介して間接的に通信できるようにしているため、配線ミス、断線等による通信障害により、集中監視装置２と直接に通信ができない状態であっても、各空調機３は、集中監視装置２へ通信品質データを通知することが可能である。
【００５４】
なお、本発明は、上記実施形態に限定されず、本発明の要旨を逸脱しない範囲での種々の変更は勿論可能である。
【００５５】
例えば、各空調機３は、制御コマンドが通信相手側で正常に受信されるまでの再送数と、当該通信相手の空調機３の機器ＩＤとを対応付けたデータを二次記憶装置３２に記憶する再送数管理テーブル（図示せず）に保存し、かかるデータも通信品質データに含めるようにしてもよい。このようにすると、集中監視装置２は、通信品質が不安定な空調機３の特定が容易となる。また、各空調機３は、一定回数の再送によっても送信エラーとなった場合に、送信エラーとなった旨と、当該通信相手の空調機３の機器ＩＤとを対応付けたデータを二次記憶装置３２に記憶する送信エラー管理テーブル（図示せず）に保存し、かかるデータも通信品質データに含めるようにしてもよい。このようにすると、集中監視装置２は、通信品質が不良な空調機３の特定が容易となる。
【００５６】
また、何れか１つの空調機３が、他の１又は複数の空調機３からの通信品質データを収集して、空調システム１における通信品質の診断を行ってもよい。
【００５７】
また、各空調機３において、中継先探索部３４２は、自機と通信可能な他の空調機３であって、集中監視装置２と直接通信できる空調機３が無い場合、自機と通信可能な他の空調機３であって、集中監視装置２と間接的に通信できる空調機３を探索してもよい。この場合、集中監視装置２と直接通信できないが間接通信できる空調機３は、他の空調機３からの通信品質データを受信すると、当該通信品質データを、集中監視装置２と直接通信できる他の空調機３に転送する。
【００５８】
上記の実施形態では、各空調機３において、制御部３４によって二次記憶装置３２に記憶されている通信品質計測プログラム３２０が実行されることで、制御部３４の各機能部（図４参照）が実現された。また、集中監視装置２において、制御部２４によって二次記憶装置２３に記憶されている通信品質診断プログラム２３０が実行されることで、制御部２４の各機能部（図８参照）が実現された。
【００５９】
しかし、各空調機３の制御部３４の機能部の全部又は一部が、専用のハードウェアで実現されるようにしてもよい。同様に、集中監視装置２の制御部２４の機能部の全部又は一部が、専用のハードウェアで実現されるようにしてもよい。専用のハードウェアとは、例えば、単一回路、複合回路、プログラム化されたプロセッサ、ＡＳＩＣ（Application Specific Integrated Circuit）、ＦＰＧＡ（Field-Programmable Gate Array）、又は、これらの組み合わせ等である。
【００６０】
また、上記実施形態において、集中監視装置２の制御部２４によって実行される通信品質診断プログラム２３０は、ＣＤ−ＲＯＭ（Compact Disc Read Only Memory）、ＤＶＤ（Digital Versatile Disc）、光磁気ディスク（Magneto-Optical Disc）、ＵＳＢ（Universal Serial Bus）メモリ、メモリカード、ＨＤＤ等のコンピュータ読み取り可能な記録媒体に格納して配布することも可能である。そして、このように配布した通信品質診断プログラム２３０を特定の又は汎用のコンピュータにインストールすることによって、当該コンピュータを上記の実施形態における集中監視装置２として機能させることも可能である。
【００６１】
また、通信品質診断プログラム２３０をインターネット上の他のサーバが有するディスク装置等に格納しておき、当該サーバから集中監視装置２に通信品質診断プログラム２３０がダウンロードされるようにしてもよい。
【００６２】
本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【００６３】
１  空調システム、２  集中監視装置、３  空調機、４  通信線、２０  ディスプレイ、２１  入力装置、２２，３０  通信インタフェース、２３，３２  二次記憶装置、２４，３４  制御部、３１  メインユニット、３３  波形取得部、２３０  通信品質診断プログラム、２３１  収集データテーブル、２４０  通信品質データ収集部、２４１  通信品質診断部、２４２  診断結果出力部、３２０  通信品質計測プログラム、３２１  波形特徴量テーブル、３４０  波形特徴量検出部、３４１  データ通知部、３４２  中継先探索部、３４３  データ送受信部、３４４  空調制御部
【図１】
2018182424.tif 000003
【図２】
2018182424.tif 000004
【図３】
2018182424.tif 000005
【図４】
2018182424.tif 000006
【図５】
2018182424.tif 000007
【図６】
2018182424.tif 000008
【図７】
2018182424.tif 000009
【図８】
2018182424.tif 000010
【図９】
2018182424.tif 000011
【図１０】
2018182424.tif 000012